(57)【要約】      （修正有）【課題】使用時にはボトルを破損を防ぎつつ安全に搬送でき、不使用時には嵩張らないように保管できるようにする。【解決手段】ボトル包装体１０における周縁には、ボトル包装体１０の中心を挟んで対向するフック部７Ｆ，７Ｂ及び把手部８Ｌ，８Ｒがある。ボトル包装体１０の中心と周縁との間には同心スリット群３０がある。同心スリット群３０は、複数個の円弧状のスリット５０を円状に並べたものである。ボトル包装体１０によりボトルを包装する場合は、ボトル包装体１０の中心にボトルを載置してフック部７Ｆ，７Ｂを持ち上げ、フック部７Ｆ，７Ｂの孔１１Ｆ，１１Ｂをボトルのネックに引っ掛ける。その状態で、把手部８Ｌ，８Ｒを把持して持ち運ぶ。【選択図】図１
2011189943.tif 000002
【特許請求の範囲】
【請求項１】
柔軟性素材からなる略円盤状のシートの周縁の内側に、当該シートと中心を共有する第１，第２…第Ｍの円の円周方向に沿って複数の円弧状のスリットを並べた第１、第２…第Ｍの同心スリット群が設けられており、前記第１，第２…第Ｍの同心スリット群の各々について、当該同心スリット群における隣り合うスリット間の部分の位置が当該同心スリット群の内側及び外側の同心スリット群における隣り合うスリット間の部分の位置に対して円周方向にずれていることを特徴とするボトル包装体。
【請求項２】
前記第１，第２…第Ｍの同心スリット群の各々は、同心スリット群毎に同じ孤長を持ったＮ個ずつのスリットからなり、
前記シートの周縁の内側の円状領域の中心から数えて奇数番目の円に沿って並ぶスリットが、前記シートの周縁の内側の円状領域をＮ等分したＮ個の扇状領域の中に各々配置され、偶数番目の円に沿って並ぶスリットが、前記Ｎ個の扇状領域を円周方向に３６０／（２Ｎ）度回転させたＮ個の扇状領域の中に各々配置されていることを特徴とする請求項１に記載のボトル包装体。
【請求項３】
前記シートの周縁の近傍に、当該シートの中心を挟んで向かい合う一対のフックが設けられていることを特徴とする請求項１または２に記載のボトル包装体。
【請求項４】
前記シートの周縁の近傍に、当該シートの中心を挟んで向かい合う一対の把手が設けられていることを特徴とする請求項１〜３のいずれか１の請求項に記載のボトル包装体。
【請求項５】
前記スリットの両端部の各々が、当該スリットの幅よりも大きな直径を持った穴により終端していることを特徴とする請求項１〜４のいずれか１の請求項に記載のボトル包装体。
【請求項６】
前記第１，第２…第Ｍの円のうち最も内側の円の内側に、スリットが設けられていないボトル載置領域が設けられていることを特徴とする請求項１〜５のいずれか１の請求項に記載のボトル包装体。
【発明の詳細な説明】
【技術分野】
【０００１】
本発明は、ワインボトルなどを包んで持ち運ぶためのボトル包装体に関する。
【背景技術】
【０００２】
特許文献１には、ワインボトルなどの各種ボトルを破損を防ぎながら安全に搬送する技術の開示がある。同文献に開示された搬送用包装体は、ボトルを包囲する内側フィルム層とこの内側フィルム層を包囲する外側フィルム層とを有する筒状をなしている。この搬送用包装体における内側フィルム層と外側フィルム層の間は気密状態とされ、２つの層の間の空間には空気抽入口から空気を抽入できるようになっている。また、この搬送用包装体における外側フィルム層には、当該包装体と平行に延在する把手が設けられている。この搬送用包装体内へのボトルの収納は次のようにして行う。まず、搬送用包装体の内側フィルム層と外側フィルム層の間の空気を抜いた状態で、内側フィルム層における一端側の開口部から内側フィルム層内にボトルを挿入する。次に、内側フィルム層と外側フィルム層の間の空間に空気抽入口から空気を吹込む。この空気の吹込により、内側フィルム層が内側に膨張してボトルを押圧保持し、外側フィルム層が外側に膨張して両フィルム層間に空気層が形成される。この状態で把手を把持して持ち運ぶことにより、外部からの衝撃によるボトルの破損が防がれる。
【先行技術文献】
【特許文献】
【０００３】
【特許文献１】特開２０００−７０３６号公報
【発明の開示】
【発明が解決しようとする課題】
【０００４】
しかしながら、特許文献１に開示された搬送用包装体の場合、外殻をなす内外フィルム層の寸法がボトルの寸法より大きいため、不使用時に嵩張らないように保管しておくことが難しいという問題があった。
【０００５】
本発明は、このような背景の下に案出されたものであり、使用時にはボトルをその破損を防ぎつつ安全に搬送でき、不使用時には嵩張らないように保管できるような技術的手段を提供することを目的とする。
【課題を解決するための手段】
【０００６】
本発明は、柔軟性素材からなる略円盤状のシートの周縁の内側に、当該シートと中心を共有する第１，第２…第Ｍの円の円周方向に沿って複数の円弧状のスリットを並べた第１、第２…第Ｍの同心スリット群が設けられており、前記第１，第２…第Ｍの同心スリット群の各々について、当該同心スリット群における隣り合うスリット間の部分の位置が当該同心スリット群の内側及び外側の同心スリット群における隣り合うスリット間の部分の位置に対して円周方向にずれていることを特徴とするボトル包装体を提供する。
【０００７】
この発明では、シートの中心にボトルを載置し、シートの周縁を持ち上げる。シートの周縁を持ち上げることにより、スリットが網目を作るように拡がってボトルが覆われる。この状態で、周縁における複数箇所をボトルのネックに固定して把持することにより、ボトルの破損を防ぎつつ安全に運ぶことができる。そして、不使用時には、シートを元の扁平な状態に戻し、嵩張らないように保管することができる。
【図面の簡単な説明】
【０００８】
【図１】本発明の一実施形態であるボトル包装体の平面図である。
【図２】同ボトル包装体によりワインボトルを包装した状態を示す図である。
【図３】同ボトル包装体のスリットの拡大図である。
【図４】同ボトル包装体における同心スリット群の配列を示す図である。
【図５】同ボトル包装体およびこれに覆われたワインボトルの一部分の拡大図である。
【発明を実施するための形態】
【０００９】
以下、図面を参照しつつ本発明の実施形態について説明する。
図１は、本発明の一実施形態であるボトル包装体１０の表面図である。図２は、ボトル包装体１０によりその包装対象であるワインボトル９０を包装した状態を示す図である。図１及び図２に示すように、ボトル包装体１０は、ワインボトル９０を包装しない状態では扁平な略円盤状の形態（フォルム）をなし、ワインボトル９０を包装した状態ではワインボトル９０の底面及び外周面を覆う網状の形態（フォルム）をなす。
【００１０】
このボトル包装体１０は、柔軟性を有する樹脂（例えば、シリコンゴム）を素材とする略円盤状のシートからなる。ボトル包装体１０は、ワインボトル９０を包装しない状態では、大径の１つの円盤と小径の２つの円盤を大径のものを真中に挟んで連結し、大径の円盤の円周における大径と小径の円盤間の連結部分と当該連結部分から距離ｄずつ両側に離れた位置までの区間とを除く部分を、外側に凸ませたような形状を有している。
【００１１】
ボトル包装体１０における大径の円盤の部分は、ワインボトル９０の包装時においてワインボトル９０を覆う役割を果たす部分である。また、小径の円盤の部分は、ワインボトル９０の包装時においてワインボトル９０のネックに引っ掛けるフックとしての役割を果たす部分である。また、大径の円盤の外側に凸んだ部分は、ワインボトル９０の包装時において把持される把手としての役割を果たす部分である。以下では、ボトル包装体１０における大径の円盤の部分を本体部６と呼び、小径の円盤の部分をフック部７Ｆ及び７Ｂと呼び、大径の円盤の外側に凸んだ部分を把手部８Ｌ及び８Ｒと呼ぶ。
【００１２】
図１に示すように、フック部７Ｆ及び７Ｂには、ワインボトル９０のネックの直径とほぼ同じ直径を持った円状の孔１１Ｆ及び１１Ｂが各々設けられている。把手部８Ｌ及び８Ｒには、円弧状に湾曲した孔１２Ｌ及び１２Ｒが各々設けられている。本体部６の中心には、ワインボトル９０の底面の直径とほぼ同じ直径φｃ（例えば、φｃ＝６８ｍｍ）を持った円状のボトル載置領域１５がある。また、本体部６の周縁とボトル載置領域１５との間には、Ｍ（例えば、Ｍ＝１６）個の同心スリット群３０ｉ（ｉ＝１〜Ｍ：Ｍ＝１６）が設けられている。図１では、図面が煩雑になるのを防ぐため、同心スリット群３０ｉ（ｉ＝１〜１６）のうち最も内側の同心スリット群３０１にのみ符号を付してある。
【００１３】
この同心スリット群３０ｉ（ｉ＝１〜１６）について詳細に説明する。各同心スリット群３０ｉは、φｃ＋２ｋ（ｉ−１）（例えば、ｋ＝５ｍｍ）の直径φｉの円Ｃｉの円周に沿って、Ｎ（例えば、Ｎ＝１０）個のスリット５０ｉｊ（ｊ＝１〜Ｎ：Ｎ＝１０）を並べたものである。図３に示すように、１つ同心スリット群３０ｉにおける１つのスリット５０ｉｊは、互いに平行な２つの湾曲面ＣＲＶＩＮ及びＣＲＶＯＵＴに挟まれた円弧状をなしている。スリット５０ｉｊにおける湾曲面ＣＲＶＩＮ及びＣＲＶＯＵＴの両端部は、湾曲面ＣＲＶＩＮ及びＣＲＶＯＵＴ間の幅Ｗ１（例えば、Ｗ１＝１．０ｍｍ）よりも大きな直径Ｗ２（例えば、Ｗ２＝２．０ｍｍ）を持った穴５ｉｊＬ及び５ｉｊＲにより終端している。また、各同心スリット群３０ｉのスリット５０ｉｊにおける両端部間の孤長Ｌは、円Ｃｉの円周をＮ（Ｎ＝１０）等分した長さよりも僅かに短い長さとなっている。
【００１４】
図１に示すように、同心スリット群３０１におけるスリット５０１ｊ（ｊ＝１〜１０）は、当該ボトル包装体１０と中心を共有する円Ｃｉ（ｉ＝１〜１６）のうち最も短い直径φ１（φ１＝φｃ＝６８ｍｍ）を持った円Ｃ１の円周に沿って、幅Ｗ３（例えば、Ｗ３＝３ｍｍ）の間隔を空けて並んでいる。また、同心スリット群３０２におけるスリット５０２ｊ（ｊ＝１〜１０）、同心スリット群３０３におけるスリット５０３ｊ（ｊ＝１〜１０）…及び同心スリット群３０１６におけるスリット５０１６ｊ（ｊ＝１〜１０）は、直径φ２（φ２＝７３ｍｍ）を持った円Ｃ２、直径φ３（φ３＝７８ｍｍ）を持った円Ｃ３…及び直径φ１６（φ１６＝２１８ｍｍ）を持った円Ｃ１６の各々の円周に沿って、スリット５０１ｊ間と同じ幅Ｗ３の間隔を空けて並んでいる。
【００１５】
また、このボトル包装体１０では、本体部６における同心スリット群３０ｉの各々について、当該同心スリット群３０ｉにおける隣り合うスリット５０ｉｊ間の部分の位置が、当該同心スリット群３０ｉの内側及び外側の同心スリット群３０ｉにおける隣り合うスリット５０ｉｊ間の部分に対して円周方向にずれている。
【００１６】
より具体的に説明すると、図４に示すように、同心スリット群３０ｉ（ｉ＝１〜１６）におけるスリット５０ｉｊ（ｉ＝１〜１６，ｊ＝１〜１０）のうち、本体部６の周縁の内側の円状領域の中心から数えて奇数番目の円Ｃ１，Ｃ３，Ｃ５，Ｃ７，Ｃ９，Ｃ１１，Ｃ１３，Ｃ１５に沿って並ぶスリット５０ｉｊは、本体部６の周縁の内側の円状領域をＮ等分した扇状領域ＦＡｊ（ｊ＝１〜Ｎ：Ｎ＝１０）の中に各々配置されている。また、偶数番目の円Ｃ２，Ｃ４，Ｃ６，Ｃ８，Ｃ１０，Ｃ１２，Ｃ１４，Ｃ１６に沿って並ぶスリット５０ｉｊは、扇状領域ＦＡｊ（ｊ＝１〜Ｎ：Ｎ＝１０）をθＳ（θＳ＝３６０／（２Ｎ）：Ｎ＝１０である場合、θＳ＝１８）度だけ円周方向に回転させた扇状領域ＦＢｊ（ｊ＝１〜Ｎ：Ｎ＝１０）の中に各々配置されている。
【００１７】
つまり、スリット５０ｉｊ（ｉ＝１〜１６，ｊ＝１〜１０）は、同心スリット群３０１，３０３，３０５，３０７，３０９，３０１１，３０１３，３０１５における隣り合うスリット５０ｉｊ間の真中が、扇状領域ＦＡｊ間の境界線（図４の鎖線）と一致し、同心スリット群３０２，３０４，３０６，３０８，３０１０，３０１２，３０１５における隣り合うスリット５０ｉｊ間の真中が、扇状領域ＦＢｊ間の境界線（図４の二点鎖線）と一致するような配置となっている。
【００１８】
以上が、ボトル包装体１０の構成の詳細である。このボトル包装体１０によるワインボトル９０の包装は次のようにして行う。まず、ボトル載置領域１５（円Ｃｉ（ｉ＝１〜１６）のうち最も内側の円Ｃ１の内側にあるスリット５０ｉｊの設けられていない領域）に、ワインボトル９０を載置する。次に、本体部６の中心を挟んで向かい合う両フック部７Ｆ及び７Ｂの孔１１Ｆ及び１１Ｂ内に手指をかけ、フック部７Ｆ及び７Ｂを持ち上げる。ボトル載置領域１５にワインボトル９０を載置してフック部７Ｆ及び７Ｂを持ち上げると、扁平な略円盤状であったボトル包装体１０におけるボトル載置領域１５の外側の部分（スリット５０ｉｊ（ｉ＝１〜１６，ｊ＝１〜１０）が設けられた部分）が両フック部７Ｆ及び７Ｂに引っ張られて立ち上がる。このフック部７Ｆ及び７Ｂを持ち上げる力により、ボトル包装体１０におけるボトル載置領域１５の外側の部分のスリット５０ｉｊが菱形状に拡げられる。そして、このボトル載置領域１５の外側の部分によりワインボトル９０の外周面が覆われる。
【００１９】
このようにして、ボトル載置領域１５の外側の部分によりワインボトル９０の外周面を覆い、両フック部７Ｆ及び７Ｂの孔１１Ｆ及び１１Ｂをワインボトル９０のネックに引っ掛けることにより、ボトル包装体１０によるワインボトル９０の包装が完了する。この状態で、本体部６の中心を挟んで向かい合う両把手部８Ｌ及び８Ｒの孔１２Ｌ及び１２Ｒ内に手指を入れて把手部８Ｌ及び８Ｒを把持し、ボトル包装体１０とボトル包装体１０に包装されたワインボトル９０を持ち運ぶ。
【００２０】
以上説明した本実施形態によると、次の効果が得られる。
第１に、本実施形態におけるボトル包装体１０は、ワインボトル９０を包装しない状態では扁平な略円盤状の形態をなし、ワインボトル９０を包装した状態ではワインボトル９０の底面及び外周面を覆う網状の形態をなす。よって、不使用時には扁平な略円盤状とすることにより、嵩張らないように保管することができる。
【００２１】
第２に、本実施形態におけるボトル包装体１０は、シリコンゴムを素材として構成されている。よって、このボトル包装体１０によりワインボトル９０を包装した場合、外部から加わる衝撃が和らげられる。従って、包装したワインボトル９０をその破損を防ぎつつ安全に持ち運ぶことができる。
【００２２】
第３に、本実施形態では、スリット５０ｉｊ（ｉ＝１〜１６，ｊ＝１〜１０）の孤長Ｌが同心スリット群３０ｉ毎に同じ長さになっている。そして、同心スリット群３０ｉにおけるスリット５０ｉｊ間の部分がその内側および外側の同心スリット群３０ｉにおけるスリット５０ｉｊ間の部分に対して円周方向にθＳ（θＳ＝３６０／（２Ｎ））度だけずれている。このため、ボトル載置領域１５にワインボトル９０を載置してフック部７Ｆ及び７Ｂを持ち上げた場合に、スリット５０ｉｊ間の部分やスリット５０ｉｊの両端部に加わる力が分散する。よって、孤長Ｌを不均一にしたものやスリット５０ｉｊ間のずれの大きさをθＳより大きくしたり小さくしたものに比べて、より重いものを持ち運ぶことができる。
【００２３】
第４に、本実施形態では、スリット５０ｉｊの両端部が、当該スリット５０ｉｊの幅Ｗ１よりも大きな直径Ｗ２を持った穴５ｉｊＬ及び５ｉｊＲにより終端している。このため、ボトル載置領域１５にワインボトル９０を載置してフック部７Ｆ及び７Ｂを持ち上げた場合に、スリット５０ｉｊの両端部に加わる力が分散する。よって、スリット５０ｉｊの両端部の各々をスリット５０ｉｊの幅Ｗ１のまま終端させたものに比べて、より重いものを持ち運ぶことができる。
【００２４】
第５に、本実施形態では、ボトル包装体１０における本体部６、フック部７Ｆ，７Ｂ、及び把手部８Ｌ，８Ｒが柔軟性を有する素材であるシリコンゴムにより形成されている。よって、一方のフック部７Ｆの孔１１Ｆ内に他方のフック部７Ｂを挿入し、フック部７Ｆの孔１１Ｆをフック部７Ｂ及び本体部６間の括れた連結部分に引っ掛けて固定することができる。従って、ワインボトル９０よりも丈の短い瓶体（例えば、焼酎の瓶）をワインボトル９０の場合と同じように包装し、一方のフック部７Ｆの孔１１Ｆを他方のフック部７Ｂ及び本体部６間の連結部分に引っ掛けて持ち運ぶ、といった用途に用いることもできる。
【００２５】
第６に、本実施形態によると、スリット５０ｉｊ（ｉ＝１〜１６，ｊ＝１〜１０）のないシリコンゴム製のシートによりワインボトル９０を包装する場合よりも高い緩衝性能を得ることができる。この効果について、図５を参照して具体的に説明する。図５は、図２における網状の形態（フォルム）をなすボトル包装体１０とこれにより覆われたワインボトル９０の一部分の拡大図である。図５において、同心スリット群３０７における隣り合うスリット５０７７及び５０７８間の部分Ｓに着目すると、ワインボトル９０を包装している状態では、この部分Ｓのゴム片は、スリット５０６７の湾曲面ＣＲＶＯＵＴとスリット５０７７及び５０７８の各々の湾曲面ＣＲＶＩＮに挟まれた部分のゴム片と、スリット５０８７の湾曲面ＣＲＶＩＮとスリット５０７７及び５０７８の湾曲面ＣＲＶＯＵＴに挟まれた部分のゴム片とにより上下に引っ張られる。この部分Ｓのゴム片を上下に引っ張る力の働きにより、部分Ｓのゴム片におけるスリット５０８７の湾曲面ＣＲＴＩＮ側は、部分Ｓの幅（部分Ｓの下のスリット５０６７の湾曲面ＣＲＶＯＵＴと部分Ｓの上のスリット５０８７の湾曲面ＣＲＶＩＮの間の幅）とほぼ同寸法を持って外側にせり出す。
【００２６】
ここで、本実施形態では、同心スリット群３０ｉ（ｉ＝１〜１６）におけるスリット５０ｉｊ（ｉ＝１〜１６，ｊ＝１〜１０）の孤長Ｌを同心スリット群３０ｉ毎に同じにし、隣り合うスリット５０ｉｊ間の部分を均一な角度θＳ（θＳ＝３６０／（２Ｎ））だけ円周方向にずらしている。このため、同心スリット群３０ｉ（ｉ＝１〜１６）における隣り合うスリット５０ｉｊ間の全ての部分に部分Ｓ（図５）と同様の力が働く。この結果、ワインボトル９０の外周面の全体が、外側にせり出したスリット５０ｉｊ間の部分により規則正しく覆われることになり、スリット５０ｉｊ（ｉ＝１〜１６，ｊ＝１〜１０）のないものでワインボトル９０を包装する場合よりも高い緩衝性能が得られる。
【００２７】
以上、この発明の一実施形態について説明したが、この発明には他にも実施形態があり得る。例えば、以下の通りである。
（１）上記実施形態において、同心スリット群３０ｉの総数Ｍを、２〜１５としてもよいし、１７以上としてもよい。同心スリット群３０ｉの総数Ｍを多くした場合、隣り合うスリット５０ｉｊ間の部分の幅（隣り合うスリット５０ｉｊ間の部分の下のスリット５０ｉｊの湾曲面ＣＲＶＯＵＴとその上のスリット５０ｉｊの湾曲面ＣＲＶＩＮの間の幅）は薄くなり、ボトル包装体１０によりワインボトル９０を包装した状態で外側に向かってせり出すゴム片の厚さも薄くなる。よって、この場合、ボトル包装体１０によりワインボトル９０を包装することにより得られる緩衝性能は低くなる。反対に、１つの同心スリット群３０ｉの総数Ｍを少なくした場合、隣り合うスリット５０ｉｊ間の部分の幅（隣り合うスリット５０ｉｊ間の部分の下のスリット５０ｉｊの湾曲面ＣＲＶＯＵＴとその上のスリット５０ｉｊの湾曲面ＣＲＶＩＮの間の幅）は厚くなり、ボトル包装体１０によりワインボトル９０を包装した状態で外側に向かってせり出すゴム片の厚さも厚くなる。よって、この場合、ボトル包装体１０によりワインボトル９０を包装することにより得られる緩衝性能は高くなる。従って、同心スリット群３０ｉの総数Ｍは、目標とする緩衝性能などを加味して適宜決定するとよい。
【００２８】
（２）上記実施形態において、１つの同心スリット群３０ｉをなすスリット５０ｉｊの総数Ｎを、２〜９としてもよいし、１１以上としてもよい。１つの同心スリット群３０ｉをなすスリット５０ｉｊの総数Ｎを多くした場合、１つ１つのスリット５０ｉｊの孤長Ｌは短くなり、ボトル包装体１０によりワインボトル９０を包装した状態で現れる菱形状の網目は密になる。よって、この場合、ボトル包装体１０によりワインボトル９０を包装することにより得られる緩衝性能は高くなる。反対に、１つの同心スリット群３０ｉをなすスリット５０ｉｊの総数Ｎを少なくした場合、１つ１つのスリット５０ｉｊの孤長Ｌは長くなり、ボトル包装体１０によりワインボトル９０を包装した状態で現れる菱形状の網目は粗になる。よって、この場合、ボトル包装体１０によりワインボトル９０を包装することにより得られる緩衝性能は低くなる。従って、１つの同心スリット群３０ｉをなすスリット５０ｉｊの総数Ｎは、目標とする緩衝性能などを加味して適宜決定するとよい。
【００２９】
（３）上記実施形態では、スリット５０ｉｊの両端部の各々は、当該スリット５０ｉｊの幅Ｗ１よりも大きな直径Ｗ２を持った穴５ｉｊＬ及び５ｉｊＲにより終端していた。しかし、当該スリット５０ｉｊの幅Ｗ１と同じ大きさの直径を持った穴５ｉｊＬ及び５ｉｊＲにより終端してもよい。
【００３０】
（４）上記実施形態において、同心スリット群３０ｉの各々を不均一な孤長Ｌのスリット５０ｉｊにより構成してもよい。例えば、円Ｃｉの円周のＮ等分よりもＬ１だけ短い孤長Ｌ’を持ったスリット５０ｉｊと、円Ｃｉの円周のＮ等分よりもＬ２（Ｌ２＜Ｌ１）だけ短い孤長Ｌ”を持ったスリット５０ｉｊを交互に並べて同心スリット群３０ｉを構成してもよい。
【００３１】
（５）上記実施形態において、孔１１Ｆ及び１１Ｂを円と異なる形状（例えば、多角形）としてもよい。また、孔１２Ｌ及び１２Ｒを円弧状に湾曲した形状と異なる形状（例えば、円や多角形）としてもよい。また、孔１１Ｆ及び１１Ｂの直径をワインボトル９０のネックの直径よりも小さくしてもよいし、大きくしてもよい。
【００３２】
（６）上記実施形態では、ボトル包装体１０は、本体部６、フック部７Ｆ，７Ｂ、及び把手部８Ｌ，８Ｒがシリコンゴムを素材とする一枚のシートにより形成された。しかし、本体部６のみを一枚のシートにより形成し、この一枚のシートの周縁に、シリコンゴムまたは別の素材からなるフック部７Ｆ及び７Ｂと把手部８Ｌ及び８Ｒを連結させてもよい。
【００３３】
（７）上記実施形態において、ボトル包装体１０をなすシートの形状は、左右対称である必要はなく、上下対称である必要もない。また、ボトル包装体１０を円盤状の一枚のシートのみにより形成し、この円盤状のシートの周縁の内側近傍に当該円盤の中心を挟んで対向する２組の孔１１Ｆ，１１Ｂ及び１２Ｌ，１２Ｒを設け、その孔１１Ｆ，１１Ｂ及び１２Ｌ，１２Ｒの内側に、円盤と中心を共有する同心スリット群３０ｉ（ｉ＝１〜Ｍ）を設けてもよい。
【００３４】
（８）上記実施形態において、ボトル包装体１０は、本体部６とフック部７Ｆ及び７Ｂのみからなる構成としてもよいし、本体部６と把手部８Ｌ及び８Ｒのみからなる構成としてもよい。
（９）上記実施形態では、ボトル包装体１０は、シリコンゴムを素材として構成されていた。しかし、シリコンゴム以外の柔軟性を有する素材（例えば、天然ゴム、合成ゴム、合成樹脂、フェルト、和紙、皮革、布など）により構成してもよい。
【符号の説明】
【００３５】
５…穴、６…本体部、７…フック部、８…把手部、１０…ボトル包装体、１１，１２…孔、３０…同心スリット群、５０…スリット。
【図１】
2011189943.tif 000003
【図２】
2011189943.tif 000004
【図３】
2011189943.tif 000005
【図４】
2011189943.tif 000006
【図５】
2011189943.tif 000007